(57)【要約】【課題】  容易にシステム構築が可能で高信頼性を有する監視システムを実現する。【解決手段】  撮影した画像情報をネットワーク上に配信するネットワークカメラを用いた監視システムにおいて、監視場所に設置され撮影した画像情報をネットワーク上に配信するネットワークカメラと、画像情報を表示させる画像表示装置であるコンピュータと、ＤＨＣＰサーバと、ネットワークカメラが直接接続されると共に画像情報を格納保存し、コンピュータからネットワークを介して画像情報の要求があった場合にネットワークカメラから直接画像情報を送信させ、或いは、保存されている画像情報を送信する画像記録装置とを設ける。【選択図】                    図１
2006080716.tif 000002
【特許請求の範囲】
【請求項１】
撮影した画像情報をネットワーク上に配信するネットワークカメラを用いた監視システムにおいて、
監視場所に設置され撮影した画像情報をネットワーク上に配信するネットワークカメラと、
前記画像情報を表示させる画像表示装置であるコンピュータと、
ＤＨＣＰサーバと、
前記ネットワークカメラが直接接続されると共に前記画像情報を格納保存し、前記コンピュータから前記ネットワークを介して前記画像情報の要求があった場合に前記ネットワークカメラから直接前記画像情報を送信させ、或いは、保存されている前記画像情報を送信する画像記録装置と
を備えたことを特徴とする監視システム。
【請求項２】
前記画像記録装置が、
前記ネットワークカメラが直接接続されると共に前記ネットワークを介して通信を行う通信手段と、
前記画像情報を格納保存する記憶手段と、
画像記録装置全体を制御すると共に前記コンピュータから前記ネットワークを介して前記画像情報の要求があった場合に前記ネットワークカメラから直接前記画像情報を送信させ、或いは、前記記憶手段に保存されている前記画像情報を送信する制御手段とから構成されることを特徴とする
請求項１記載の監視システム。
【請求項３】
前記画像記録装置が、
前記通信手段に直接接続された前記ネットワークカメラに電力を供給する給電手段を備えたことを特徴とする
請求項２記載の監視システム。
【請求項４】
前記画像記録装置が、
前記通信手段に前記ネットワークカメラが接続された場合に前記ネットワークカメラのＭＡＣアドレスとポート番号とを取得し、ポート番号及びＭＡＣアドレスと前記ネットワークカメラが前記ＤＨＣＰサーバから取得したＩＰアドレスを併せて前記記憶手段に格納保存することを特徴とする
請求項２記載の監視システム。
【請求項５】
前記画像記録装置が、
前記記憶手段への格納保存が必要なときに電力を供給する電源制御手段を備えたことを特徴とする
請求項２記載の監視システム。
【請求項６】
前記画像記録装置が、
プログラムが格納される第２の記憶手段と、
接続された外部記憶媒体に情報の書き込みや読み出しを行う外部記憶媒体接続手段と、
処理の実行を指示するスイッチ手段とを備え、
前記スイッチ手段の操作により書き込み処理の実行が指示されたと判断した場合に前記外部記憶媒体接続手段に外部記憶媒体が接続されているか否かを判断し、
前記外部記憶媒体接続手段に外部記憶媒体が接続されていると判断した場合に前記外部記憶媒体接続手段に接続されている前記外部記憶媒体内の情報を読み出して前記第２の記憶手段に順次書き込むことを特徴とする
請求項２記載の記録装置。
【請求項７】
前記画像記録装置が、
プログラムが格納される第２の記憶手段と、
接続された外部記憶媒体に情報の書き込みや読み出しを行う外部記憶媒体接続手段と、
処理の実行を指示するスイッチ手段とを備え、
前記スイッチ手段の操作により読み出し処理の実行が指示された場合に前記外部記憶媒体接続手段に外部記憶媒体が接続されているか否かを判断し、
前記外部記憶媒体接続手段に外部記憶媒体が接続されていると判断した場合に前記第２の記憶手段の情報を読み出して前記外部記憶媒体接続手段に接続されている前記外部記憶媒体内に順次書き込むことを特徴とする
請求項２記載の記録装置。
【請求項８】
前記画像記録装置が、
ＩＤ装置を備え、
前記ネットワーク経由で参照可能な状態にしたことを特徴とする
請求項２記載の記録装置。
【発明の詳細な説明】
【技術分野】
【０００１】
本発明は、撮影した画像情報等をネットワーク上に配信するネットワークカメラを用いた監視システムに関し、特に容易にシステム構築が可能で高信頼性を有する監視システムに関する。
【背景技術】
【０００２】
従来の撮影した画像情報等をネットワーク上に配信するネットワークカメラを用いた監視システムに関連する先行技術文献としては次のようなものがある。
【０００３】
【特許文献１】特開２０００−０８３２４１号公報
【特許文献２】特開２０００−２４４９１４号公報
【特許文献３】特開２００３−２２３６８９号公報
【特許文献４】特開２００４−０８０５６０号公報
【特許文献５】特開２００４−０９６２０１号公報
【特許文献６】特開２００４−１７２７８０号公報
【０００４】
図１１はこのような従来の監視システムの一例を示す構成ブロック図である。図１１において１，２及び３は各監視場所に設置され撮影した画像情報等をネットワーク上に配信するネットワーク機器であるネットワークカメラ、４はハブ、５はネットワーク上に配信された画像情報等を収集してハードディスク等の記憶手段に記録する画像記録装置、６は配信された画像情報を表示させる画像表示装置であるコンピュータ、１００はＬＡＮ（Local Area Network）やインターネット等の汎用のネットワークである。
【０００５】
ネットワークカメラ１，２及び３はハブ４にそれぞれ相互に接続され、画像記録装置５もまたハブ４に相互に接続される。ハブ４はネットワーク１００に相互に接続され、コンピュータ６はネットワーク１００に相互に接続される。
【０００６】
ここで、図１１に示す従来例の動作を図１２、図１３、図１４、図１５及び図１６を用いて説明する。図１２はネットワークカメラ１〜３の動作を説明するフロー図、図１３は画像記録装置５の動作を説明するフロー図、図１４及び図１６は画像情報等の流れを説明する説明図、図１５はコンピュータ６の動作を説明するフロー図である。
【０００７】
図１２中”Ｓ００１”においてネットワークカメラ（例えば、以降、ネットワークカメラ１に着目して動作を説明するものとする。）は、設置された監視場所の画像を撮影する。
【０００８】
また、図１２中”Ｓ００２”においてネットワークカメラ１は画像記録装置５やコンピュータ６の他のネットワーク機器から画像データの要求があったか否かを判断し、もし、画像データの要求があったと判断した場合には、図１２中”Ｓ００３”においてネットワークカメラ１は、画像データを圧縮する等の画像処理を適宜行なった後、要求のあったネットワーク機器に対して画像データをネットワーク１００やハブ４等を介して配信する。
【０００９】
図１３中”Ｓ１０１”において画像記録装置５は、ハブ４等を介してネットワークカメラ１に画像データの要求をすると共に図１３中”Ｓ１０２”において画像データを受信するまで待機する。
【００１０】
図１３中”Ｓ１０２”において画像データを受信したと判断した場合には、図１３中”Ｓ１０３”において画像記録装置５は、受信した画像データを記憶手段に格納して保存する。
【００１１】
例えば、図１４中”ＳＤ０１”に示すように画像記録装置５は、ハブ４を介してネットワークカメラ１から画像データを受信した場合、受信した画像データを記憶手段に格納して保存する。
【００１２】
ちなみに、画像記録装置５は、コンピュータ６の他のネットワーク機器から画像データの要求があった場合には、保存されている画像データを要求のあったネットワーク機器に対してネットワーク１００やハブ４等を介して配信する。
【００１３】
一方、図１５中”Ｓ２０１”においてコンピュータ６は、ネットワークカメラ１から直接画像データを取得するか否かを判断し、もし、ネットワークカメラ１から直接画像データを取得すると判断した場合には、図１５中”Ｓ２０２”においてコンピュータ６は、ネットワーク１００及びハブ４を介してネットワークカメラ１に対して画像データを要求すると共に図１５中”Ｓ２０３”において画像データを受信するまで待機する。
【００１４】
もし、図１５中”Ｓ２０１”においてネットワークカメラ１から直接画像データを取得しないと判断した場合には、図１５中”Ｓ２０４”においてコンピュータ６は、ネットワーク１００及びハブ４を介して画像記録装置５に対して画像データを要求すると共に図１５中”Ｓ２０３”において画像データを受信するまで待機する。
【００１５】
図１５中”Ｓ２０３”においてネットワークカメラ１、若しくは、画像記録装置５から画像データを受信したと判断した場合には、図１５中”Ｓ２０５”においてコンピュータ６は、受信した画像データを表示手段上に表示させる。
【００１６】
例えば、図１６中”ＳＤ１１”に示すようにネットワークカメラ１からハブ４及びネットワーク１００を介して画像データを受信した場合、受信した画像データを表示手段上に表示させる。
【００１７】
また、例えば、図１６中”ＳＤ１２”に示すように画像記録装置５からハブ４及びネットワーク１００を介して画像データを受信した場合、受信した画像データを表示手段上に表示させる。
【００１８】
この結果、ネットワークカメラを各監視場所に設置し撮影した画像情報等をネットワーク上に配信すると共に画像記録装置６は画像情報等を格納保存し、画像表示装置であるコンピュータ６がネットワークカメラから直接画像データを取得、或いは、画像記録装置６から保存されている画像データを取得して表示させることにより、監視システムを構築することが可能になる。
【発明の開示】
【発明が解決しようとする課題】
【００１９】
しかし、図１１に示す従来例では、ハブ４を別途設置する必要性があり、また、各ネットワークカメラ１〜３に電源供給する電源装置を別途用意する必要性があり、システム構築が煩雑であると言った問題点があった。
【００２０】
また、システム構築時に、各ネットワークカメラ１〜３のＩＰ（Internet Protocol）アドレスや、画像記録装置５のＩＰアドレスをそれぞれ設定する必要性があり、システム構築が煩雑であると言った問題点があった。
【００２１】
また、ネットワークに接続しないとネットワーク機器であるネットワークカメラ１〜３や画像記録装置５のプログラム変更や設定変更等ができず、監視システムの保守性が悪いと言った問題点があった。
【００２２】
さらに、画像記録装置５のハードディスク等の記憶手段には通常、常時電源供給がなされているため、消費電力の問題やハードディスク等の記憶手段の寿命が短くなり信頼性が低下すると言った問題点がった。
従って本発明が解決しようとする課題は、容易にシステム構築が可能で高信頼性を有する監視システムを実現することにある。
【課題を解決するための手段】
【００２３】
このような課題を達成するために、本発明のうち請求項１記載の発明は、
撮影した画像情報をネットワーク上に配信するネットワークカメラを用いた監視システムにおいて、
監視場所に設置され撮影した画像情報をネットワーク上に配信するネットワークカメラと、前記画像情報を表示させる画像表示装置であるコンピュータと、ＤＨＣＰサーバと、前記ネットワークカメラが直接接続されると共に前記画像情報を格納保存し、前記コンピュータから前記ネットワークを介して前記画像情報の要求があった場合に前記ネットワークカメラから直接前記画像情報を送信させ、或いは、保存されている前記画像情報を送信する画像記録装置とを備えたことにより、ハブが不要になるので、容易に監視システムを構築することが可能になる。
【００２４】
請求項２記載の発明は、
請求項１記載の発明である監視システムにおいて、
前記画像記録装置が、
前記ネットワークカメラが直接接続されると共に前記ネットワークを介して通信を行う通信手段と、前記画像情報を格納保存する記憶手段と、画像記録装置全体を制御すると共に前記コンピュータから前記ネットワークを介して前記画像情報の要求があった場合に前記ネットワークカメラから直接前記画像情報を送信させ、或いは、前記記憶手段に保存されている前記画像情報を送信する制御手段とから構成されることにより、ハブが不要になるので、容易に監視システムを構築することが可能になる。
【００２５】
請求項３記載の発明は、
請求項２記載の発明である監視システムにおいて、
前記画像記録装置が、
前記通信手段に直接接続された前記ネットワークカメラに電力を供給する給電手段を備えたことにより、ネットワークカメラに対して画像記録装置から電力が供給されるので、容易に監視システムを構築することが可能になる。
【００２６】
請求項４記載の発明は、
請求項２記載の発明である監視システムにおいて、
前記画像記録装置が、
前記通信手段に前記ネットワークカメラが接続された場合に前記ネットワークカメラのＭＡＣアドレスとポート番号とを取得し、ポート番号及びＭＡＣアドレスと前記ネットワークカメラが前記ＤＨＣＰサーバから取得したＩＰアドレスを併せて前記記憶手段に格納保存することにより、ＩＰアドレスの設定も画像記録装置によって設定されるので、容易に監視システムを構築することが可能になる。
【００２７】
請求項５記載の発明は、
請求項２記載の発明である監視システムにおいて、
前記画像記録装置が、
前記記憶手段への格納保存が必要なときに電力を供給する電源制御手段を備えたことにより、ハードディスク等の記憶手段の電力供給を格納保存が必要なときのみになされるので、消費電力が低減され、ハードディスク等の記憶手段の寿命が長くなり信頼性が向上する。
【００２８】
請求項６記載の発明は、
請求項２記載の発明である監視システムにおいて、
前記画像記録装置が、
プログラムが格納される第２の記憶手段と、
接続された外部記憶媒体に情報の書き込みや読み出しを行う外部記憶媒体接続手段と、
処理の実行を指示するスイッチ手段とを備え、
前記スイッチ手段の操作により書き込み処理の実行が指示されたと判断した場合に前記外部記憶媒体接続手段に外部記憶媒体が接続されているか否かを判断し、
前記外部記憶媒体接続手段に外部記憶媒体が接続されていると判断した場合に前記外部記憶媒体接続手段に接続されている前記外部記憶媒体内の情報を読み出して前記第２の記憶手段に順次書き込むことにより、ネットワークに接続することなしにネットワーク機器のプログラム変更・読み出しや設定変更・読み出し等が可能になり保守性が向上する。
【００２９】
請求項７記載の発明は、
請求項２記載の発明である監視システムにおいて、
前記画像記録装置が、
プログラムが格納される第２の記憶手段と、
接続された外部記憶媒体に情報の書き込みや読み出しを行う外部記憶媒体接続手段と、
処理の実行を指示するスイッチ手段とを備え、
前記スイッチ手段の操作により読み出し処理の実行が指示された場合に前記外部記憶媒体接続手段に外部記憶媒体が接続されているか否かを判断し、
前記外部記憶媒体接続手段に外部記憶媒体が接続されていると判断した場合に前記第２の記憶手段の情報を読み出して前記外部記憶媒体接続手段に接続されている前記外部記憶媒体内に順次書き込むことにより、ネットワークに接続することなしにネットワーク機器のプログラム変更・読み出しや設定変更・読み出し等が可能になり保守性が向上する。
【００３０】
請求項８記載の発明は、
請求項２記載の発明である監視システムにおいて、
前記画像記録装置が、
ＩＤ装置を備え、
前記ネットワーク経由で参照可能な状態にしたことにより、アプリケーションレベルで機器（画像記録装置）の認識をすることが可能になる。
【発明の効果】
【００３１】
本発明によれば次のような効果がある。
請求項１，２，３及び請求項４の発明によれば、ネットワークカメラを各監視場所に設置すると共に画像記録装置に直接接続し画像記録装置が画像情報等を格納保存し、画像表示装置であるコンピュータがネットワークカメラから直接画像データを取得、或いは、画像記録装置から保存されている画像データを取得して表示させることにより、ハブが不要になるので、容易に監視システムを構築することが可能になる。また、ネットワークカメラに対して画像記録装置から電力が供給され、ＩＰアドレスの設定も画像記録装置によって設定されるので、さらに、容易にシステム構築が可能になる。
【００３２】
また、請求項５の発明によれば、画像記録装置のハードディスク等の記憶手段の電力供給を格納保存が必要なときのみになされるので、消費電力が低減され、ハードディスク等の記憶手段の寿命が長くなり信頼性が向上する。
【００３３】
また、請求項６及び請求項７の発明によれば、制御手段が、スイッチ手段の操作により読み出し処理、若しくは、読み出し処理の実行が指示された場合に、外部記憶媒体接続手段に接続されている外部記憶媒体内の情報を読み出して第２の記憶手段に順次書き込む、若しくは、第２の記憶手段の情報を読み出して外部記憶媒体接続手段に接続されている外部記憶媒体内に順次書き込むことにより、ネットワークに接続することなしにネットワーク機器のプログラム変更・読み出しや設定変更・読み出し等が可能になり保守性が向上する。
【００３４】
また、請求項８の発明によれば、画像記録層装置にディップスイッチやロータリースイッチ等のＩＤ装置を付加してネットワーク経由で参照可能な状態にすることにより、アプリケーションレベルで機器（画像記録装置）の認識をすることが可能になる。
【発明を実施するための最良の形態】
【００３５】
以下本発明を図面を用いて詳細に説明する。図１は本発明に係る監視システムの一実施例を示す構成ブロック図である。
【００３６】
図１において１，２，３及び６は図１１と同一符号を付してあり、７は複数台のネットワークカメラが接続され配信された画像情報等を収集してハードディスク等の記憶手段に記録する画像記録装置、８はＤＨＣＰ（Dynamic Host Configuration Protocol：ネットワーク上の機器に動的にＩＰアドレスを割り当てるプロトコル。以下、単にＤＨＣＰと呼ぶ。）サーバ、１０１はＬＡＮやインターネット等の汎用のネットワークである。また、ネットワークカメラ１〜３はＤＨＣＰクライアント機能を有するものとする。
【００３７】
ネットワークカメラ１，２及び３は画像記録装置７にそれぞれ相互に接続され、画像記録装置７はネットワーク１０１に相互に接続され、コンピュータ６はネットワーク１０１に相互に接続される。また、ＤＨＣＰサーバ８もネットワーク１０１に相互に接続される。
【００３８】
また、図２は画像記録装置７の具体例を説明する構成ブロック図である。図２において９は複数のポートを有し、ネットワークカメラが直接接続されると共にネットワークを介して通信を行うネットワークインターフェース等の通信手段、１０は前記ポートに接続されるネットワークカメラに電力を供給する給電手段、１１はＣＰＵ（Central Processing Unit）等の制御手段、１２はハードディスク等の記憶手段、１３は接続されたＵＳＢ（Universal Serial Bus）メモリ等の外部記憶媒体に情報の書き込みや読み出しを行う外部記憶媒体接続手段、１４は書き込み処理や読み出し処理等の処理の実行を指示する複数個のキーから構成されるスイッチ手段、１５はプログラム等が格納されるフラッシュメモリ等の記憶手段、１６は記憶手段１２への電力の供給を制御する電源制御手段である。また、９，１０，１１，１２，１３，１４，１５及び１６は画像記録装置７を構成している。
【００３９】
通信手段９の入出力は制御手段１１に相互に接続され、給電手段１０の出力は通信手段９に接続される。記憶手段１２及び外部記憶媒体接続手段１３の入出力はそれぞれ制御手段１１に相互に接続され、スイッチ手段１４の出力は制御手段１１に接続される。
【００４０】
記憶手段１５の入出力は制御手段１１に相互に接続され、電源制御手段１６の出力が記憶手段１２の制御入力端子に接続される。また、制御手段１１の制御信号は給電手段１０及び電源制御手段１６に接続される。
【００４１】
また、図２中”ＣＭ２１”に示すようなネットワークカメラや図２中”ＮＴ２１”に示すネットワークが通信手段９の各ポートに相互に接続される。
【００４２】
ここで、図１に示す実施例の動作を図３、図４、図５、図６、図７、図８、図９及び図１０を用いて説明する。図３、図５、図９及び図１０は画像記録装置７の動作を説明するフロー図、図４はネットワークカメラ１〜３の動作を説明するフロー図、図６及び図８は画像情報等の流れを説明する説明図、図７はコンピュータの動作を説明するフロー図である。
【００４３】
図３中”Ｓ３０１”において画像記録装置７（具体的には、制御手段１１）は、通信手段９のポートに図２中”ＣＭ２１”に示すようなネットワークカメラが接続されたか否かを判断し、もし、ネットワークカメラが接続されたと判断した場合には、図３中”Ｓ３０２”において画像記録装置７（具体的には、制御手段１１）は、給電手段１０を制御して通信手段９を介して接続されたネットワークカメラに電力を供給する。
【００４４】
この時、ネットワークカメラはＤＨＣＰサーバ８からＩＰアドレスを取得する共に取得したＩＰアドレスを当該ネットワークカメラに設定する。
【００４５】
例えば、図４中”ＲＱ３１”に示すようにネットワークカメラ１は、画像記録装置７及びネットワーク１０１を介してＤＨＣＰサーバ８にＩＰアドレスの取得を要求し、図４中”ＡＱ３１”に示すようにＩＰアドレスを取得する。
【００４６】
そして、図３中”Ｓ３０３”において画像記録装置７（具体的には、制御手段１１）は、ネットワークカメラのＭＡＣアドレス（Media Access Control Address）と、当該ネットワークカメラが接続されているポート番号とを取得する。
【００４７】
例えば、図４中”ＳＤ３１”に示すように通信手段９に接続されたネットワークカメラ１からＭＡＣアドレス等の情報を取得する。
【００４８】
最後に、図３中”Ｓ３０４”において画像記録装置７（具体的には、制御手段１１）は、ポート番号及びＭＡＣアドレスと、ネットワークカメラがＤＨＣＰサーバ８から取得したＩＰアドレスを併せて記憶手段１２に格納保存することにより管理する。
【００４９】
図５中”Ｓ４０１”においてネットワークカメラ（例えば、以降、ネットワークカメラ１に着目して動作を説明するものとする。）は、設置された監視場所の画像を撮影する。
【００５０】
また、図５中”Ｓ４０２”においてネットワークカメラ１は画像記録装置７やコンピュータ６の他のネットワーク機器から画像データの要求があったか否かを判断し、もし、画像データの要求があったと判断した場合には、図５中”Ｓ４０３”においてネットワークカメラ１は、画像データを圧縮する等の画像処理を適宜行なった後、要求のあったネットワーク機器に対して画像データをネットワーク１０１や画像記録装置７等を介して配信する。
【００５１】
図６中”Ｓ５０１”において画像記録装置７（具体的には、制御手段１１）は、通信手段９に直接接続されたネットワークカメラ１に画像データの要求をすると共に図６中”Ｓ５０２”において画像データを受信するまで待機する。
【００５２】
図６中”Ｓ５０２”において画像データを受信したと判断した場合には、図６中”Ｓ５０３”において画像記録装置７は、記憶手段１２（ハードディスク等）の電力を供給して記憶手段１２（ハードディスク等）を稼動させると共に図６中”Ｓ５０４”において受信した画像データを記憶手段１２に格納して保存する。
【００５３】
そして、図６中”Ｓ５０５”において画像記録装置７は、記憶手段１２（ハードディスク等）への電力を供給を停止して記憶手段１２（ハードディスク等）を停止させる。
【００５４】
例えば、図４中”ＳＤ３１”に示すように画像記録装置７は、通信手段９に直接接続されたネットワークカメラ１から画像データを受信した場合、記憶手段１２（ハードディスク等）を稼動させた上で受信した画像データを記憶手段１２（ハードディスク等）に格納して保存し、その後記憶手段１２（ハードディスク等）を停止させる。
【００５５】
具体的には、制御手段１１は、電源制御手段１６を制御して記憶手段１２（ハードディスク等）への電力の供給を制御して、記憶手段１２（ハードディスク等）の稼動、或いは、停止させる。
【００５６】
一方、図７中”Ｓ６０１”においてコンピュータ６は、ネットワークカメラ１から直接画像データを取得するか否かを判断し、もし、ネットワークカメラ１から直接画像データを取得すると判断した場合には、図７中”Ｓ６０２”においてコンピュータ６は、ネットワーク１０１及び画像記録装置７を介してネットワークカメラ１に対して画像データを要求すると共に図７中”Ｓ６０３”において画像データを受信するまで待機する。
【００５７】
もし、図７中”Ｓ６０１”においてネットワークカメラ１から直接画像データを取得しないと判断した場合には、図７中”Ｓ６０４”においてコンピュータ６は、ネットワーク１０１を介して画像記録装置７に対して画像データを要求すると共に図７中”Ｓ６０３”においてコンピュータ６は、画像データを受信するまで待機する。
【００５８】
図７中”Ｓ６０３”においてネットワークカメラ１、若しくは、画像記録装置７から画像データを受信したと判断した場合には、図７中”Ｓ６０５”においてコンピュータ６は、受信した画像データを表示手段上に表示させる。
【００５９】
例えば、図８中”ＳＤ４１”に示すようにネットワークカメラ１、若しくは、画像記録装置７からネットワーク１０１を介して画像データを受信した場合、コンピュータ６は、受信した画像データを表示手段上に表示させる。
【００６０】
この結果、ネットワークカメラを各監視場所に設置すると共に画像記録装置７に直接接続し画像記録装置７が画像情報等を格納保存し、画像表示装置であるコンピュータ６がネットワークカメラから直接画像データを取得、或いは、画像記録装置７から保存されている画像データを取得して表示させることにより、ハブが不要になるので、容易に監視システムを構築することが可能になる。また、ネットワークカメラに対して画像記録装置７から電力が供給され、ＩＰアドレスの設定も画像記録装置７によって設定されるので、さらに、容易にシステム構築が可能になる。
【００６１】
さらに、画像記録装置７のハードディスク等の記憶手段１２の電力供給を格納保存が必要なときのみになされるので、消費電力が低減され、ハードディスク等の記憶手段１２の寿命が長くなり信頼性が向上する。
【００６２】
また、画像記録装置７に対するプログラムや設定情報の書き込み処理に関して説明する。図９中”Ｓ７０１”において制御手段１１は、スイッチ手段１４の操作により書き込み処理の実行が指示されたか否かを判断し、もし、書き込み処理の実行が指示されたと判断した場合には、図９中”Ｓ７０２”において制御手段１１は、外部記憶媒体接続手段１３に外部記憶媒体が接続されているか否かを判断する。
【００６３】
もし、外部記憶媒体接続手段１３に外部記憶媒体が接続されていると判断した場合には、図９中”Ｓ７０３”において制御手段１１は、外部記憶媒体接続手段１３に接続されている外部記憶媒体内の情報を読み出してフラッシュメモリ等の記憶手段１５に順次書き込む。
【００６４】
そして、図９中”Ｓ７０４”において制御手段１１は、外部記憶媒体から記憶手段１５への書き込み処理が完了したか否かを判断し、書き込み処理が完了していないと判断した場合には図９中”Ｓ７０３”のステップを戻り、書き込み処理が完了したと判断した場合には、図９中”Ｓ７０１"のステップに戻る。
【００６５】
一方、図１０中”Ｓ８０１”において制御手段１１は、スイッチ手段１４の操作により読み出し処理の実行が指示されたか否かを判断し、もし、読み出し処理の実行が指示されたと判断した場合には、図１０中”Ｓ８０２”において制御手段１１は、外部記憶媒体接続手段１３に外部記憶媒体が接続されているか否かを判断する。
【００６６】
もし、外部記憶媒体接続手段１３に外部記憶媒体が接続されていると判断した場合には、図１０中”Ｓ８０３”において制御手段１１は、記憶手段１５の情報を読み出して外部記憶媒体接続手段１３に接続されている外部記憶媒体内に順次書き込む。
【００６７】
そして、図１０中”Ｓ８０４”において制御手段１１は、記憶手段１５から外部記憶媒体への読み出し処理が完了したか否かを判断し、読み出し処理が完了していないと判断した場合には図１０中”Ｓ８０３”のステップを戻り、読み出し処理が完了したと判断した場合には、図１０中”Ｓ８０１"のステップに戻る。
【００６８】
この結果、制御手段１１が、スイッチ手段１３の操作により読み出し処理、若しくは、読み出し処理の実行が指示された場合に、外部記憶媒体接続手段１４に接続されている外部記憶媒体内の情報を読み出して記憶手段１５に順次書き込む、若しくは、記憶手段１５の情報を読み出して外部記憶媒体接続手段１０に接続されている外部記憶媒体内に順次書き込むことにより、ネットワーク１０１に接続することなしにネットワーク機器のプログラム変更・読み出しや設定変更・読み出し等が可能になり保守性が向上する。
【００６９】
なお、画像記録層装置７にディップスイッチやロータリースイッチ等のＩＤ装置を付加してネットワーク１０１経由で参照可能な状態にしても構わない。この場合には、アプリケーションレベルで機器（画像記録装置）の認識をすることが可能になる。
【００７０】
また、本願発明の画像記録装置７を利用可能なネットワークシステムとしては、ネットワークカメラを用いた監視システムのみならず、画像情報、音声情報、測定情報、観測情報等の各種情報をネットワーク上に配信するネットワーク機器を用いたネットワークシステムに適用することが可能である。
【００７１】
また、図１に示す実施例では、スイッチ手段１４の操作により書き込み処理の実行、或いは、読み出し処理の実行を指示する旨記載しているが、スイッチ手段からコマンド（特定のキー操作）等を入力することによって実行の指示を行っても、単純に、スイッチ手段１４として”書き込み処理スイッチ”、或いは、”読み出し処理スイッチ”を設けて当該スイッチの押下げにより実行の指示を行っても構わない。
【００７２】
また、図２に示す実施例では外部記憶媒体接続手段１３はＵＳＢメモリ等の外部記憶媒体に情報の書き込みや読み出しを行う旨記述しているが、情報の書き込みや読み出しが可能な外部記憶媒体としてはＵＳＢメモリのみならず、メモリカード（ＳＤ（Secure Digital）カードやＣＦ（Compact Flash）カード等）、フレキシブルディスク、或いは、ハードディスク等であっても構わない。
【図面の簡単な説明】
【００７３】
【図１】本発明に係る監視システムの一実施例を示す構成ブロック図である。
【図２】画像記録装置の具体例を説明する構成ブロック図である。
【図３】画像記録装置の動作を説明するフロー図である。
【図４】ネットワークカメラの動作を説明するフロー図である。
【図５】画像記録装置の動作を説明するフロー図である。
【図６】画像情報等の流れを説明する説明図である。
【図７】コンピュータの動作を説明するフロー図である。
【図８】画像情報等の流れを説明する説明図である。
【図９】画像記録装置の動作を説明するフロー図である。
【図１０】画像記録装置の動作を説明するフロー図である。
【図１１】従来の監視システムの一例を示す構成ブロック図である。
【図１２】ネットワークカメラの動作を説明するフロー図である。
【図１３】画像記録装置の動作を説明するフロー図である。
【図１４】画像情報等の流れを説明する説明図である。
【図１５】コンピュータの動作を説明するフロー図である。
【図１６】画像情報等の流れを説明する説明図である。
【符号の説明】
【００７４】
１，２，３  ネットワークカメラ
４  ハブ
５，７  画像記録装置
６  コンピュータ
８  ＤＨＣＰサーバ
９  通信手段
１０  給電手段
１１  制御手段
１２，１５  記憶手段
１３  外部記憶媒体接続手段
１４  スイッチ手段
１６  電源制御手段
１００，１０１  ネットワーク
【図１】
2006080716.tif 000003
【図２】
2006080716.tif 000004
【図３】
2006080716.tif 000005
【図４】
2006080716.tif 000006
【図５】
2006080716.tif 000007
【図６】
2006080716.tif 000008
【図７】
2006080716.tif 000009
【図８】
2006080716.tif 000010
【図９】
2006080716.tif 000011
【図１０】
2006080716.tif 000012
【図１１】
2006080716.tif 000013
【図１２】
2006080716.tif 000014
【図１３】
2006080716.tif 000015
【図１４】
2006080716.tif 000016
【図１５】
2006080716.tif 000017
【図１６】
2006080716.tif 000018